(57)【特許請求の範囲】
【請求項１】
Ｘ線を発生するＸ線管と、
前記Ｘ線管と対向して配設され被検者を透過したＸ線を受像するＸ線検出器と、
散乱Ｘ線を除去するためのＸ線グリッドと、
前記Ｘ線グリッドを搭載するために前記Ｘ線検出器の前面に設置された搭載部と、
前記Ｘ線管および前記Ｘ線検出器を保持する保持装置を備えるＸ線透視撮影装置において、
前記搭載部より取り外された前記Ｘ線グリッドの格納が可能な格納箱を付設し、
前記Ｘ線グリッドが前記格納箱の所定位置に格納されたことを検出する格納スイッチを前記格納箱に備えるとともに、
前記Ｘ線グリッドが前記搭載部の所定位置に搭載されたことを検出する搭載スイッチを備え、
前記搭載スイッチがオンで前記格納スイッチがオフのときに前記Ｘ線グリッドが使用状態であるとみなし、前記搭載スイッチがオフで前記格納スイッチがオンのときに前記Ｘ線グリッドが非使用状態であるとみなし、前記搭載スイッチと前記格納スイッチの両方がオフのときに不正な状態であるとみなすとともに、これらの状態に基づいて透視撮影を行い、あるいは、透視撮影を行わないと判断する判断手段を備える
ことを特徴とするＸ線透視撮影装置。
【請求項２】
Ｘ線を発生するＸ線管と、
前記Ｘ線管と対向して配設され被検者を透過したＸ線を受像するＸ線検出器と、
散乱Ｘ線を除去するためのＸ線グリッドと、
前記Ｘ線グリッドを搭載するために前記Ｘ線検出器の前面に設置された搭載部と、
前記Ｘ線管および前記Ｘ線検出器を保持する保持装置を備えるＸ線透視撮影装置において、
前記搭載部より取り外された前記Ｘ線グリッドの格納が可能な格納箱を付設し、
前記Ｘ線グリッドが前記格納箱の所定位置に格納されたことを検出する格納スイッチを前記格納箱に備えるとともに、
前記Ｘ線グリッドが前記搭載部の所定位置に搭載されたことを検出する搭載スイッチを備え、
前記Ｘ線グリッドは複数であり、前記格納箱は複数のＸ線グリッドのそれぞれに対応して格納できる複数の格納箱であり、それぞれの前記格納箱に備えられた格納スイッチは対応したＸ線グリッドが格納されたときのみにオンとなるスイッチであって、前記搭載部の搭載スイッチがオンであり前記格納箱に備えられた前記格納スイッチのうちの１個がオフで他が全てオンであるときに前記Ｘ線グリッドのうち１個が使用状態であるとみなし、前記搭載部の搭載スイッチがオフであり前記格納箱に備えられた前記格納スイッチの全てがオンであるときに前記Ｘ線グリッドが非使用状態であるとみなし、前記搭載スイッチおよび格納スイッチがそれ以外の状態のときには不正な状態であるとみなすとともに、これらの状態に基づいて透視撮影を行い、あるいは、透視撮影を行わないと判断する判断手段を備える
ことを特徴とするＸ線透視撮影装置。
【発明の詳細な説明】
【技術分野】
【０００１】
本発明は、散乱線を除去するためのＸ線グリッドを備えた医療用のＸ線透視撮影装置に関するものである。
【背景技術】
【０００２】
医用診断装置としてＸ線透視撮影装置は、被検体を載置する天板の駆動を行う天板駆動部やそれを制御する天板駆動制御部からなる天板駆動系、Ｘ線管やＸ線検出器などの撮像系の駆動を行う撮像系駆動部やそれを制御する撮像系駆動制御部からなる撮像駆動系、Ｘ線発生部やそれを制御するＸ線発生制御部からなるＸ線発生系、散乱線を除去するためのＸ線グリッドおよび画像処理部やそれを制御する画像処理制御部からなる画像処理系などで構成されている。
【０００３】
被写体をＸ線で撮影できる原理は、Ｘ線が被写体を透過する際にその内部構造に応じて吸収されて減衰し、受像器上に濃淡を描くということに基づいている。このとき、Ｘ線は被写体の内部を直線的に透過することが必要であるが、実際にはＸ線の一部が散乱して入射方向とは異なる方向に向かって被写体を透過する。このような被写体の内部で散乱するＸ線は散乱線と称され、この散乱線は像を形成するべき本来のＸ線に重畳して受像器に入射することによって画質を劣化させる。
【０００４】
画質を向上させるためには散乱線を除去する必要があり、従来の医療用のＸ線透視撮影装置は散乱線を除去するためのＸ線グリッドを被写体と受像器の間に備えている場合が多い。Ｘ線グリッドは多数のＸ線透過部材とＸ線遮蔽部材を交互に積層して成り、Ｘ線源から直線的に受像器まで届いたＸ線、つまり積層面に平行なＸ線に対しては略透明になり、その他の方向のＸ線に対しては不透明になるという機能を有している。従って、散乱線の殆どは不透明な方向からＸ線グリッドに入射し、受像器には到達しないようになっている。
【０００５】
例えば、小児の場合、体厚が薄く、散乱線が画質に与える影響も少ないため、被曝線量を抑えるためにＸ線グリッドを取り外して透視撮影を行うことが多い。このように、被写体の種類や部位、撮影の目的に応じてＸ線グリッドを選択することが必要となる。従来の装置にもＸ線グリッドの着脱機構やＸ線グリッドの有無を検出する検出装置を備えているものもあり、その例は特許文献１および特許文献２に開示されている。
【０００６】
図５に従来のＸ線透視撮影装置の構成の概略を示す。Ｘ線透視撮影装置はアーム支持台３４に支持されたＣ型の保持アーム３３の両端に対向保持したＸ線管３１とＸ線検出部３２と検診台４１に支持された被検者３９が横臥する天板４２とＸ線透視撮影装置全体を操作する操作部３７とＸ線検出部３２に設置されたＸ線グリッド（図示せず）を着脱する挿入口３５を備えた搭載部３６より構成されている。被検者３９は天板４２に横臥し、術者４０が操作部３７を操作して透視および撮影を行う。
【先行技術文献】
【特許文献】
【０００７】
【特許文献１】特開２００２−０４５３５６号公報
【特許文献２】特開２００３−２５０７９７号公報
【発明の概要】
【発明が解決しようとする課題】
【０００８】
Ｘ線グリッドは非常に精密な構造で高価なものであり、落下させたり衝突させたりすると破損する恐れがあり、取り扱いには注意が必要である。例えば、従来の装置では、小児検査の間、取り外したＸ線グリッドは検査室内の棚や作業机の上に保護の無い状態で置かれていることが多く、棚や机からＸ線グリッドが落下したり、他の検査器具が衝突したりする恐れがあった。また、小児検査の終了後にＸ線グリッドを装置に戻し忘れるなどして放置された場合、次回他の使用者がＸ線グリッドを使用する検査を行おうとしても即座に見つけられない可能性があった。
【０００９】
さらに、被検者の種類や部位、撮影の目的に応じて複数のＸ線グリッドを選択使用する場合、Ｘ線グリッドの種類を確認して選択し、所定位置に確実に搭載し、取り外して破損や紛失の無いように管理することは術者にとって負担の大きな仕事であった。
【課題を解決するための手段】
【００１０】
前記課題を解決するために本発明は、Ｘ線を発生するＸ線管と、前記Ｘ線管と対向して配設され被検者を透過したＸ線を受像するＸ線検出器と、散乱Ｘ線を除去するためのＸ線グリッドと、前記Ｘ線グリッドを搭載するために前記Ｘ線検出器の前面に設置された搭載部と、前記Ｘ線管および前記Ｘ線検出器を保持する保持装置を備えるＸ線透視撮影装置において、前記搭載部より取り外された前記Ｘ線グリッドの格納が可能な格納箱を付設したことを特徴とする。
【００１１】
前記Ｘ線グリッドが前記搭載部の所定位置に搭載されたことを検出する搭載スイッチを備えるとともに、前記Ｘ線グリッドが前記格納箱の所定位置に格納されたことを検出する格納スイッチを前記格納箱に備えることを特徴とする。
【００１２】
前記搭載スイッチがオンで前記格納スイッチがオフのときに前記Ｘ線グリッドが使用状態であるとみなし、前記搭載スイッチがオフで前記格納スイッチがオンのときに前記Ｘ線グリッドが非使用状態であるとみなし、前記搭載スイッチと前記格納スイッチの両方がオフのときに不正な状態であるとみなすとともに、これらの状態に基づいて透視撮影を行い、あるいは、透視撮影を行わないと判断する判断手段を備えることを特徴とする。
【００１３】
前記Ｘ線グリッドは複数であり、前記格納箱は複数のＸ線グリッドのそれぞれに対応して格納できる複数の格納箱であり、それぞれの前記格納箱に備えられた格納スイッチは対応したＸ線グリッドが格納されたときのみにオンとなるスイッチであって、前記搭載部の搭載スイッチがオンであり前記格納箱に備えられた前記格納スイッチのうちの１個がオフで他が全てオンであるときに前記Ｘ線グリッドのうち１個が使用状態であるとみなし、前記搭載部の搭載スイッチがオフであり前記格納箱に備えられた前記格納スイッチの全てがオンであるときに前記Ｘ線グリッドが非使用状態であるとみなし、前記搭載スイッチおよび格納スイッチがそれ以外の状態のときには不正な状態であるとみなすとともに、これらの状態に基づいて透視撮影を行い、あるいは、透視撮影を行わないと判断する判断手段を備えることを特徴とする。
【００１４】
前記の如く所定の位置に格納箱を設置することによって、Ｘ線グリッドの本来のあるべき位置を明確にし、さらにＸ線グリッドの位置情報が出力部より装置の操作部に送られ、装置が作動されるべき状態にあるか否かを自動的にチェックする。
【発明の効果】
【００１５】
Ｘ線グリッドを取り外して行う検査のとき、取り外したＸ線グリッドを格納箱に格納することにより確実に保護することができる。また、半挿し（装置へ確実にＸ線グリッドが装着されていない状態）状態の検出が可能なので、半挿しで装置を動かしてＸ線グリッドを落下させるという事故を防止できる。さらに、検査部位や撮影の目的によって複数のＸ線グリッドを選択使用する際は、搭載部に搭載されたＸ線グリッドの有無が検出され、また格納箱に格納されたＸ線グリッドの有無が検出されるため、Ｘ線グリッドの挿入忘れや誤使用および紛失を防ぐことができる。
【００１６】
また、検査部位によって複数のＸ線グリッドを選択使用する際は、取り付けられたＸ線グリッドの種類を検出する必要があり、従来では搭載部に種類を検出するスイッチを複数個設置する必要があったが、本発明により、搭載部にＸ線グリッドの搭載を検出する搭載スイッチを一つ、各Ｘ線グリッドに対応する格納箱にそれぞれ格納スイッチを一つ設けることで、取り付けられているＸ線グリッドの種類の判別ができ、さらに取り外されたＸ線グリッドの確認（紛失の防止）ができる。この場合、搭載部に搭載スイッチを複数設置する必要が無いため、搭載部の検出機構を簡潔にできる。
【図面の簡単な説明】
【００１７】
【図１】本発明の一実施例におけるＸ線透視撮影装置の概略的な構成図である。
【図２】本発明の一実施例におけるＸ線透視撮影装置のＸ線グリッドの搭載部の概略図である。
【図３】本発明の一実施例におけるＸ線透視撮影装置のＸ線グリッドの格納箱の概略図である。
【図４】本発明の変形実施例におけるＸ線透視撮影装置のＸ線グリッドの格納箱の概略図である。
【図５】従来のＸ線透視撮影装置の概略的な構成図である。
【発明を実施するための形態】
【００１８】
図１に本発明の実施例を示す。Ｘ線透視撮影装置は主として、アーム支持台４に支持されたＣ型の保持アーム３の両端に対向保持されたＸ線管１とＸ線検出部２と被検者９が横臥する検診台１１の天板１２とＸ線透視撮影装置全体を操作する操作部７、および検診台１１に固定されたＸ線グリッド（図示せず）を格納する格納箱８とＸ線検出部２に設置されたＸ線グリッド（図示せず）を着脱する挿入口５を備えた搭載部６より構成されている。被検者９は天板１２に横臥し、術者１０が操作部７を操作して透視および撮影を行う。なお、格納箱８は、例えば検査室の壁に掛けるもの、棚または作業机等の上に置くスタンド型のものもでもよい。
【００１９】
図２は本発明の実施例におけるＸ線グリッドの搭載部６の概略図である。Ｘ線検出部２の前面に設置されたＸ線グリッドを着脱する挿入口５を備えた搭載部６の一部を断面した平面図（ａ）と側面図（ｂ）でＸ線グリッド１３の挿入状態を示す。搭載部６の内部にはＸ線グリッドの搭載スイッチ１４があり、Ｘ線グリッド１３が平面図（ａ）の矢印方向に完全に挿入されると搭載スイッチ１４がオンになってＸ線グリッド１３の搭載が検出される。
【００２０】
図３は本発明の実施例におけるＸ線グリッドの格納箱８の概略図である。格納箱８の正面図（ａ）と上面図（ｂ）を示す。格納箱８の開口部１５からＸ線グリッド１３を抜き差しする。格納箱８の内部にはＸ線グリッドの格納スイッチ１６があり、Ｘ線グリッド１３が正面図（ａ）の矢印方向に完全に挿入されると格納スイッチ１６がオンになってＸ線グリッド１３の格納が検出される。
【００２１】
小児検査においてＸ線グリッド１３を使用しない場合は、図２に示す搭載部６の搭載スイッチ１４がオフとなり、格納箱８の格納スイッチ１６がオンとなる。Ｘ線透視撮影装置の作動スイッチは前記搭載部６の搭載スイッチ１４および格納箱８の格納スイッチ１６と連動しており、小児検査の条件設定（この場合、搭載スイッチ１４がオフおよび格納スイッチ１６がオン）と合致した場合、Ｘ線透視撮影装置の作動スイッチをオンにすることによりＸ線透視撮影装置は動作を開始する。
【００２２】
もしＸ線グリッド１３が格納箱８に正しく戻されていなくて格納箱８の格納スイッチ１６がオフなっていたとき、間違ってＸ線透視撮影装置の作動スイッチをオンにしようとしても、小児検査の条件設定と合致していないことを自動的にチェックして装置が動作しないようになっている。
【００２３】
図４は本発明の変形実施例におけるＸ線透視撮影装置のＸ線グリッドの格納箱１８の概略図である。格納箱１８以外は図１と同一の構成である。本変形実施例は検査部位や撮影の目的によって複数のＸ線グリッドを選択使用する場合の格納箱を示す。例えば２種類のＸ線グリッド１７Ａと１７Ｂがある場合、それに対応する格納箱１８Ａと１８Ｂが存在する。図４の（ａ）、（ｂ）は格納箱１８Ａと１８Ｂの正面図、（ｃ）は上面図を示す。図（ａ）、（ｂ）はそれぞれＸ線グリッド１７Ａ、１７Ｂが格納箱１８Ａ、１８Ｂに正しく格納され、格納スイッチ１９Ａ、１９Ｂがオンになった状態を示す。
【００２４】
格納箱の正面図（ｄ）、（ｅ）は、格納箱１８ＡにＸ線グリッド１７Ｂが、および格納箱１８ＢにＸ線グリッド１７Ａが間違って格納されたときの状態を示している。このときＸ線グリッド１７Ｂ、１７Ａの切り欠き部２０Ｂ、２０Ａによって格納スイッチ１９Ａ、１９Ｂが回避されるため各格納スイッチはオフとなり、Ｘ線グリッドは格納されていないと判断される。
【００２５】
いま、前記搭載部６の搭載スイッチ１４がオン、格納箱の格納スイッチ１９Ａがオフおよび１９Ｂがオンであれば、搭載部６にＸ線グリッド１７Ａが搭載され、格納箱１８ＢにＸ線グリッド１７Ｂが格納されていることが判別できる。もしこのとき格納スイッチ１９Ａおよび１９Ｂがともにオフであれば、どちらかのＸ線グリッドが正しく格納箱に戻されていないか、または格納箱に途中まで差し込まれた半挿しの状態が想定されるため、格納箱をチェックしてＸ線グリッドを正しい状態に格納しなおし、格納スイッチ１９Ａがオンおよび１９Ｂがオフになれば、搭載部６にＸ線グリッド１７Ｂが搭載され、格納箱１８ＡにＸ線グリッド１７Ａが格納されていることが判別できる。
【００２６】
なお、前記搭載部の搭載スイッチおよび前記格納箱の格納スイッチはＸ線透視撮影装置の作動スイッチと連動しており、前記操作部７に出力された前記搭載部の搭載スイッチおよび前記格納箱の格納スイッチのオンおよびオフの信号は、Ｘ線透視撮影装置の動作を制御する信号となる。
【符号の説明】
【００２７】
１、３１    Ｘ線管
２、３２    Ｘ線検出部
３、３３    保持アーム
４、３４    アーム支持台
５、３５    挿入口
６、３６    搭載部
７、３７    操作部
８          格納箱
９、３９    被検者
１０、４０    術者
１１、４１    検診台
１２、４２    天板
１３    Ｘ線グリッド
１４    搭載スイッチ
１５    開口部
１６    格納スイッチ
１７Ａ、１７Ｂ    Ｘ線グリッド
１８              格納箱
１８Ａ、１８Ｂ    格納箱
１９Ａ、１９Ｂ    格納スイッチ
２０Ａ、２０Ｂ    切り欠き部
【図１】
0005549485.tif 000002
【図２】
0005549485.tif 000003
【図３】
0005549485.tif 000004
【図４】
0005549485.tif 000005
【図５】
0005549485.tif 000006